(57)【要約】【課題】閲覧面に新聞を止めた状態で捲り読みできる持ち運びし易い新聞閲覧台を提供する。【解決手段】一枚のダンボールを折り曲げた長方形の載置部１と、これを背面から支える支持部２と、両者を下から支える台部３とから成り、載置部１は、開いた新聞紙Ｓに広さを備えた傾斜状の閲覧面１１と、閲覧面１１に新聞紙Ｓをクリップ止めできる窓孔１３と、新聞紙Ｓを下支えする座面１２ａを備えた台座１２とを備え、支持部２は、台部３の後辺３１ｃから起立して載置部１を支える立面２１を備え、台部３は、載置部１から延びた上層台３２と、支持部２から延びた下層台３１と、その中間に挟まれる台座１２から延びた中層台３３とを備え、台部３の上層台３２と中層台３３に刻設した切欠溝４２、４３に下層台３１から切り出した鉤状切片４１が嵌め込まれ、座面１２ａに刻設した切込孔５１に閲覧面１１から切り出した差込片５２が差し込まれてなる。【選択図】  図１
0003224256.tif 000002
【実用新案登録請求の範囲】
【請求項１】
一枚の長方形のダンボールを折り目で折り曲げて連結された長方形の載置部と、これを背面から支える支持部と、両者を下から支える台部とから成り、
前記載置部は、二つ折りした新聞紙を見開き状態に展開できる広さを有する傾斜状の閲覧面と、折り畳んだ新聞紙の片面をクリップ止めできるように穿設した少なくとも２つの窓孔と、載せられた新聞紙を下方から受け止める座面を形成した台座とを備え、
前記支持部は、前記台部の後辺から起立させて前記載置部を支える立面を備え、
前記台部は、前記載置部から延びた上層台と、前記支持部から延びた下層台と、その中間に挟まれる台座から延びた中層台とを備え、
上記台部の上層台と中層台に刻設した切欠溝に下層台から切り出した鉤状切片が嵌め込まれ、前記座面に刻設した切込孔に閲覧面から切り出した差込片が差し込まれてなることを特徴とする新聞閲覧台。
【請求項２】
載置部と台部とのなす角度を、５０度から８０度としたことを特徴とする請求項１に記載の新聞閲覧台。
【考案の詳細な説明】
【技術分野】
【０００１】
本考案は机やテーブル等に載せて、新聞を閲覧することのできる軽量性と移動性に富んだ新聞閲覧台に関する。
【背景技術】
【０００２】
近年デジタル化が進んで、本や新聞等の紙を媒体とした読み物に触れる機会が失われていく現状にある。しかし、デジタルによる進化ばかりでなく、従来からの紙文化の伝統を残すことも、大切な文化継承の一手段のはずである。
その対策として、例えば、学校で新聞等の紙媒体に触れることが有効なはずであると本考案者は考えたが、従来の学校には新聞閲覧台等は殆ど置かれておらず、生徒が新聞を読む機会は非常に少ない現状にある。
そこで、この新聞閲覧台の設置を検討したところ、従来、図書館には新聞を開いた状態で立ち読みすることのできる閲覧台が設けられているが、これらは金属等で頑丈にできているため重く、且つキャスター付きのものであっても移動し難いものであった。
例えばこれを学校の廊下等の通路に置こうとすると、通行の妨げとなってしまい、又、撤去にも困るなど大変扱い難いものとなってしまう。
もっと気軽に、紙媒体の新聞に触れることのできる手段が望まれることとなる。
なお、下記特許文献１には、ダンボール製の折畳式携帯書見台が提案されているが、該書見台は書籍を見るには適するが、広げた新聞を見ようと書籍板上に載せたとき、紙面が折れ曲がって簡単に落ちてしまうので新聞を見るには適さない。
【先行技術文献】
【特許文献】
【０００３】
【特許文献１】実用新案登録第３１９３９２８号公報
【考案の概要】
【考案が解決しようとする課題】
【０００４】
本考案は上記実情に鑑みてなされたもので、例えば、学校等にある机やテーブルの上に置いて使用でき、軽くて容易に持ち運びが可能で、閲覧の際には新聞を止めたままで二つ折りした紙面を捲って見ることができる新聞閲覧台を提供しようとするものである。
【課題を解決するための手段】
【０００５】
上記課題を解決するために、本考案の新聞閲覧台は、一枚の長方形のダンボールを折り目で折り曲げて連結された長方形の載置部と、これを背面から支える支持部と、両者を下から支える台部とから成り、前記載置部は、二つ折りした新聞紙を見開き状態に展開できる広さを有する傾斜状の閲覧面と、折り畳んだ新聞紙の片面をクリップ止めできるように穿設した少なくとも２つの窓孔と、載せられた新聞紙を下方から受け止める座面を形成した台座とを備え、前記支持部は、前記台部の後辺から起立させて前記載置部を支える立面を備え、前記台部は、前記載置部から延びた上層台と、前記支持部から延びた下層台と、その中間に挟まれる台座から延びた中層台とを備え、上記台部の上層台と中層台に刻設した切欠溝に下層台から切り出した鉤状切片が嵌め込まれ、前記座面に刻設した切込孔に閲覧面から切り出した差込片が差し込まれてなることを特徴とする。
【０００６】
請求項２に記載の考案は、上記考案において、前記載置部と台部とのなす角度を５０度から８０度としたことを特徴とする。
【考案の効果】
【０００７】
本考案の新聞閲覧台は、一枚のダンボールから、折り目に沿って折畳むことで容易に組み立てることができ、その際、台部の上層台と中層台と下層台とが、切欠溝に鉤状切片を嵌めて固定され、又、前記座面の切込孔に閲覧面の差込片を差し込んで載置部の下辺と中層台とが固定され、その両方の固定により、載置部の下辺と台部の前部との確実な固定が可能となる。
これを例えば学校の廊下等に持ち込み、２つ並べた教室机の上に載せると、新聞を閲覧する載置部が支持部と台部で強固に支えられた三角形をなし、全体が一体的となって机の上に安定的に載置できるものとなる。
ここに学園行事や社会記事等を載せた学校新聞及び社会新聞等を持参し、これを閲覧台に載置する。すると、生徒が廊下を通りつつ覗き込み、又はグループとなって読みあげ、それを話題にする等して紙媒体としての新聞を身近なものとして楽しむものとなる。
その際、載置部の閲覧面に、新聞を二つ折りしてその折り目部分をクリップで挟んで窓孔に固定できるため、その二つ折りした片面のまま大きな文字で記載した記事内容をアピールして掲示することができる。又、二つ折りした両面を左右に大きく開いた状態にもできるため、興味を持った生徒は更に頁を捲って詳細を読み進むことが可能となる。
又、二つ折りした折り目部分が２箇所以上で閲覧面に固定されるので、紙面の姿勢が崩れてしまうことがなく、常に見易く傾斜させた状態を維持できる。
更に、新聞を閲覧面にクリップで固定しようとするときには、自然に台座上に水平状態に整えられて、新聞が傾くことがなく、正常な状態に位置決めすることができる。
撤去する際には、全てがダンボールなので軽量で移動や運搬が容易となる。
【０００８】
請求項２に記載の考案においては、前記載置部と台部とのなす角度が５０度から８０度とすると、閲覧面が新聞を正面から見やすくなり、無理な姿勢をとらずに新聞の広い紙面全体を容易に見渡すことが可能となる。
【図面の簡単な説明】
【０００９】
【図１】本考案の新聞閲覧台の斜視図である。
【図２】（イ）は組み立て途中を示し（ロ）は組み立て終了後を示す台部の鉤状切片の近傍の要部の斜視図である。
【図３】（イ）は組み立て途中を示し（ロ）は組み立て終了後を示す載置部の下辺の差込片の近傍で縦断した要部の縦断斜視図である。
【図４】組み立て前のダンボールの展開図である。
【考案を実施するための形態】
【００１０】
本考案の実施形態を、図を参照して以下説明する。
図１は本考案の新聞閲覧台の斜視図である。
本考案は、該図１に示すように、前下がりに傾斜させた長方形の新聞紙Ｓを載せる載置部１と、その載置部１を背後から支える支持部２と、両者を下から支える台部３とを備える。
該台部３には、下の下層台３１と、上の上層台３２と、中間の中層台３３とのの三層からなる。
又、前記載置部１の下辺１ｂの前側には、前記台部３に繋がる台座１２を有する。
【００１１】
前記載置部１、支持部２及び台部３は折り目を入れた一枚の長方形のダンボールを折り曲げて形成される。
該長方形のダンボールの短辺は新聞紙Ｓの長辺より少し長く、その長辺は新聞紙Ｓの短辺の約３倍以上の長さとする。
材料となるダンボールは、紙製やプラスチック製のダンボールを含み、波形の中芯が単層や多層のものも使用できる。
該一枚の長方形のダンボールで、図４に示すように、該ダンボールを短辺と平行な折り目（山折を一点鎖線で示し、谷折を二点鎖線で示す）で折り曲げて繋がった長方形の面を複数形成する。
該ダンボールの中芯は波形が長手方向に平行とし、折り目はその波形の平行線を折る方向に形成する。
【００１２】
該ダンボールの長方形の各面は、一方（図４の下端）から他方（図４の上端）へ順に繋がって、台部３を構成する上層台３２、新聞紙の短辺より長い幅の載置部１、載置部１より少し短い幅の支持部２、台部３を構成する下層台３１、細い幅の台座１２の一部である台座前面、細い幅の座面１２ａ、台部３を構成する中層台３３となる。
そして、前記座面１２ａと中層台３３と折り目は谷折り（図４中２点鎖線で示す）とするが、その他の折り目は全て山折り（図４中１点鎖線で示す）に折り曲げ、その折り目で折り曲げられて、図１に示すように、載置部１と支持部２と台部３とが繋がった側面視三角形状に形成される。
該三角形の形状は、傾斜した載置部１が一番長く、支持部２が次に長く、台部３が支持部２よりも短く、台部３と支持部２との間の角度が直角又は直角に近い角度をなす直角三角形状とする。
【００１３】
前記台部３は、図１に示すように、最下部の下層台３１と、最上部の上層台３２と、その間の中層台３３とが上下に重なり合った三層とするが、該下層台３１は後辺３１ｃが支持部２の下辺２ｂに繋がり前辺３１ｂが載置部１の前方で台座１２に繋がって、下面に上層台３２及び中層台３３の面積よりも広い面積の底面３１ａを形成する。
前記下層台３１の前辺３１ｂの先は上側に折り返されて、その折り返さえた上面が座面１２ａとなる台座１２が形成される。
図１は、その折り返して立ち上げ、更に細い幅で山折りして後ろ下がり傾斜の平面の座面１２ａを形成した側面視小さな三角形の台座１２を示している。
そして、該座面１２ａの基部１２ｂの先は後方に延びて中層台３３が形成される。
その際、前記上層台３２は、図１に示すように、中層台３３の上に重なるが、その端辺３２ａは支持部２の下辺２ｂとは少し離れるよう短く形成する。
前記中層台３３は、最大では支持部２の下辺２ｂまで達しても良く、又、支持部２の下辺２ｂとは少し離れるよう短く形成しても良い。
【００１４】
前記載置部１は、図１に示すように、閲覧する新聞紙Ｓを開いて載せるために、二つ折りした新聞紙Ｓを開いた状態に展開できる広さの閲覧面１１を有する。
一般の新聞紙Ｓの規格は、二つ折りした寸法が縦５４０ｍｍ、横４１０ｍｍなので、これを開くと、縦５４０ｍｍ、横８２０ｍｍとなる。このため該閲覧面１１はこのサイズに対して、余裕を持って載せられるよう、縦横共それより少し大きめとする。
【００１５】
又、該閲覧面１１には、両側に開いた新聞紙Ｓが閲覧面１１から食み出さないよう、二つに折り畳んだ新聞紙Ｓの折畳み辺Ｓａに当る位置に、図１に示すように、クリップ止めできる大きさの窓孔１３が設けられる。
該窓孔１３は、間隔を置いた上部と下部に設ければ、該閲覧面１１に新聞紙Ｓを二箇所のクリップ止めで安定状態に固定することができる。
しかし、上部又は下部の窓孔１３のいずれか一方だけでクリップ止めしても安定しないのでクリップ止めは上下の２箇所の窓孔１３の両方を使って行う。
用いるクリップ１４は、紙を挟む文房具として市販されているものが使用でき、新聞紙Ｓの折畳み辺Ｓａと窓孔１３の周囲の閲覧面１１とを一緒に挟んで止める。
【００１６】
又、本考案をテーブル等に載せたとき、閲覧面１１にクリップ止めした新聞を見る人が自然な姿勢で見下ろして閲覧できるよう、閲覧面１１は見易い角度の前下がりの傾斜とするここができる。
例えば、図１に示すように、閲覧面１１と台部３の底面３１ａとのなす角度θとすると、その角度θは、５０度から８０度の範囲とする。
一般の新聞の規格が縦５４０ｍｍであるのに対して、通常のテーブル面の高さに置いた場合には、椅子に腰掛けた子供の目の高さは、テーブル面のから上に３０ｃｍから４０ｃｍ程度となり、また立って見たときにはテーブル面のから上に６０ｃｍから７０ｃｍ程度となる。立っても、椅子に座っても楽な姿勢で見下ろせる角度θは約７０度前後である。
この傾斜角度を５０度から８０度以外の角度とすると、広い紙面に対する視線が鋭角となる部分ができて一部が見難くなるだけではなく、８０度より大きい角度とすると、閲覧面１１が垂直状態に近づき、前後に倒れ易くなり、又載置した薄くて柔軟な新聞紙Ｓが変形を起して固定されていない左右両端側が垂れ下がってしまうとう問題が生じるので好ましくはない。
逆に、５０度より小さい角度とすると、台部１の底面は大きくなるので、設置した通路の通行妨害となったり、小さい教室机から食み出したりしてしまう場合もあるので好ましくはない。
【００１７】
又、前記載置部１の下辺１ｂの下から前に突き出された台座１２の上面の座面１２ａは閲覧面１１に載せられ新聞紙Ｓを下支えするものである。
該台座１２は、図２に示すように、新聞紙Ｓが滑り落ちないよう台座１２の前面が立ち上がり閲覧面１１に対して滑り落ちない傾斜角度を持った平面とし、その角度は紙面を抵抗無く捲れるように、閲覧面１１に対して垂直又はそれに近い角度とする。
【００１８】
前記支持部２は、図１に示すように、前記台部３の下層台３１の後辺３１ｃから垂直状に起立して前記載置部１の上辺に繋がり、該載置部１を背後から支える立面２１を備える。
なお、該立面２１には壁面等に掛け止める吊り孔２２を左右に設ければ、机等の置き台がない場合には、壁面等に吊り下げて使用することができる。
この立面２１を略垂直な起立角度とすると、底面を広くでき邪魔にならないように台座１２前端までの前方への出幅を最小にし、且つ底面を広くして載置の安定性を高めることができ、立面２１を背後の壁面に密接状態に寄せておけば、軽くて動きやすい本案の移動や後方への移動が防がれて、紙面を捲る際や、指で文字などをなぞり読みするときの閲覧面１１の反っくり返りを防いで安定した使用ができるようになる。
【００１９】
前記台部３には、三角形となる載置部１の下部と支持部２の下部と固定するための仕組みを有する。
前記台部３は、上層台３２、中層台３３、下層台３１の三層となるが、図２に示すように、上層台３２と中層台３３の両側部には上下に連通した切欠溝４２、４３を刻設し、下層台３１の両側部の前記切欠溝４２、４３の下面部分を切り出して鉤状切片４１を形成し、鉤状切片４１を上に折り曲げて切欠溝４２、４３に鉤状切片４１の基部４１ｂを嵌合させ、鉤状切片４１の鉤先４１ａを上層台３２の上面に押圧状態で当接させて三層を纏めて固定する。
【００２０】
この際、該鉤状切片４１の鉤先４１ａは、図２の（イ）に示すように、その上の切欠溝４２、４３を通過させるために一旦折り曲げてから、図２の（ロ）に示すように、上層台３２の上面で開いて上層台３２の上面を押圧状態で当接させるとこの鉤先４１ａで鉤状切片４１が切欠溝４２、４３から抜けないようにロックされることとなる。
この結果、上層台３２、中層台３３、下層台３１の三層が両側部で密接状態に重なり合わされて確実に固定される。
【００２１】
又、前記台座１２の座面１２ａに当接する載置部１の下辺１ｂに沿って、図３の（イ）に示すように、左右の途中２箇所に細長い切込孔５１を座面１２ａの基部１２ｂに刻設し、他方、載置部１の下辺１ｂに閲覧面１１から差込片５２を切り出して、図３の（ロ）に示すように、該差込片５２を切込孔５１に突き当たるまで深く差し込む。
その際、切込孔５１の幅はダンボールの厚さより僅かに大きな細い幅とし、長さは適宜選択し、その長さに合わせてその孔５１に差し込めるよう差込片５２の長さを決める。なお、差込片５２の突出幅は切込孔５１に差し込めることができれば良いので数センチの幅があれば充分である。
この差込片５２の突き当りまでの差し込みで、載置部１の下辺１ｂは、その左右２箇所で、台部３の前部からの前進が停止されることとなる。
【００２２】
そして、そのままで再度載置部１の下辺１ｂを後退させると、切込孔５１から差込片５２が抜けてしまうが、台部３の三層が切欠溝４２、４３と該鉤状切片４１で固定されることによって、上層台３２に繋がる載置部１の下辺１ｂの後退が停止されるので前記切込孔５１から差込片５２が抜けなくなる。
この結果、該切欠溝４２、４３と該鉤状切片４１との固定と、前記切込孔５１と差込片５２との固定との両方で載置部１の下辺１ｂと台部３とは強固の固定されることとなる。
なお、組み立てに際しては、載置部１の下辺１ｂを一旦後退させてから該下辺１ｂから前に突き出した差込片５２を切込孔５１へ差し込まなければならないため、三層の両側部の鉤状切片４１による固定は先に差込片５２を差し込んでから行うこととなる。
そのため、支持部２の下辺２ｂが後退できるよう支持部２の下辺２ｂとは少し離れるよう上層台３２は下層台３１よりも短く形成する。
【００２３】
又、図２の（ロ）には、鉤状切片４１の基部４１ｂが上層台３２の切欠溝４２の前縁に当接した態様を示すものであるが、前記切欠溝４２を、載置部１の下辺１ｂの際まで切欠して、上に折り曲げた鉤状切片４１の基部４１ｂが載置部１の下辺１ｂの裏面に当接するように形成することもでき、この場合にも鉤状切片４１の基部４１ｂが載置部１の下辺１ｂの裏面に当って台部３に対する載置部１の下辺１ｂの後退が停止されることとなる。
【００２４】
又、前記切込孔５１と差込片５２は、使用するダンボールの強度などを勘案して、載置部１の下辺１ｂの中間に一箇所又は間隔を置いて左右の二箇所などの複数個所に設けることができる。
紙製のダンボールは軽くて板材として中芯の波形と直交する方向の折り曲げると強度が増す利点があるが、中芯の波形方向では、湿気を帯びると湾曲などの変形が起こり易くなる弱点もある。
本考案ではダンボールの折り目が中芯の波形と直交する方向に角度を持って折り曲げられるので、その折り曲げ部分で強度が増し、たとえ高い湿度環境下にあったとしても、載置部１の閲覧面１１と支持部２の立面２１は縦方向には湾曲し難く、又台部３は三層で強化され且つ載置部１の下辺１ｂは前記切込孔５１に差込片５２が差し込まれて前記台座１２を介して台部３に固定されるので載置部１の下辺１ｂと台座１２の基部１２ｂとは密接状態を維持させることができる。
なお、上記の如く載置部１、支持部２及び台部３が強固に一体的に固定されるので、固定するための粘着テープや金具等は全く使用する必要がない。従って、撤去する場合には軽量なので容易に収納場所に持ち運べるが、一旦仕舞う場合には鉤状切片４１を外すことで分解することが容易となり、更に折畳めば全体が平面となり倉庫などにコンパクトに収納することもできる。
【符号の説明】
【００２５】
１  載置部
１ａ  上辺
１ｂ  下辺
１１  閲覧面
１２  台座
１２ａ  座面
１２ｂ  基部
１３  窓孔
１４  クリップ
２  支持部
２ａ  上辺
２ｂ  下辺
２１  立面
２２  吊り孔
３  台部
３１  下層台
３１ａ  底面
３１ｂ  前辺
３１ｃ  後辺
３２  上層台
３３  中層台
４１  鉤状切片
４１ａ  鉤先
４１ｂ  基部
４２  切欠溝
４３  切欠溝
５１  切込孔
５２  差込片
θ  角度
Ｓ  新聞紙
Ｓａ  新聞紙の折畳み辺
【図１】
0003224256.tif 000003
【図２】
0003224256.tif 000004
【図３】
0003224256.tif 000005
【図４】
0003224256.tif 000006